(57)【要約】  【課題】  機能をより多様化すること。  【解決手段】  音楽再生装置１を携帯するユーザが歩行するときの歩行状態をセンサ１７から収集する歩行状態収集部３４と、記録装置１９に記録される楽曲を音響装置２８から出力する楽曲再生部３８と、歩行状態に基づいて楽曲の演奏形態を変更するガイド部３７とを備えている。  【選択図】  図１
2006098478.tif 000002
【特許請求の範囲】
【請求項１】
当該音楽再生装置を携帯するユーザが歩行するときの歩行状態をセンサから収集する歩行状態収集部と、
記録装置に記録される楽曲を音響装置から出力する楽曲再生部と、
前記歩行状態に基づいて前記楽曲の演奏形態を変更するガイド部
とを具備する音楽再生装置。
【請求項２】
請求項１において、
前記ガイド部は、前記歩行状態に基づいて前記楽曲のテンポを変更する
音楽再生装置。
【請求項３】
請求項１において、
前記ガイド部は、前記歩行状態に基づいて前記楽曲の音量を変更する
音楽再生装置。
【請求項４】
請求項１〜請求項３のいずれかにおいて、
条件を入力装置から収集する設定部を具備し、
前記ガイド部は、前記歩行状態が前記条件を満たすときに、前記楽曲の演奏形態を変更する
音楽再生装置。
【請求項５】
請求項４において、
前記設定部は、前記入力装置から所定の範囲を収集し、
前記ガイド部は、前記ユーザが歩行するときの速さが所定の範囲に含まれないときに、前記演奏形態を変更する
音楽再生装置。
【請求項６】
請求項４において、
前記設定部は、前記入力装置から所定の範囲を収集し、
前記ガイド部は、前記ユーザが歩行するときの単位時間当たりの歩数が所定の範囲に含まれないときに、前記演奏形態を変更する
音楽再生装置。
【請求項７】
記録装置に記録される楽曲を音響装置から出力する楽曲再生部と、
当該音楽再生装置を携帯するユーザが歩行するときの歩行状態をセンサから収集する歩行状態収集部と、
前記歩行状態に関する音声メッセージを前記音響装置から出力するガイド部
とを具備する音楽再生装置。
【請求項８】
請求項７において、
前記ガイド部は、前記楽曲をフェードアウトした後に前記音声メッセージを前記音響装置から出力し、前記音声メッセージを前記音響装置から出力した後に前記楽曲をフェードインする
音楽再生装置。
【請求項９】
請求項７において、
前記ガイド部は、前記楽曲のうちの１つの楽曲が終了してから前記楽曲のうちの前記１つの楽曲の次の楽曲が開始するまでの間に、前記音声メッセージを前記音響装置から出力する
音楽再生装置。
【請求項１０】
請求項７〜請求項９のいずれかにおいて、
所定の範囲を入力装置から収集する設定部を更に具備し、
前記音声メッセージは、前記所定の範囲と前記歩行状態との比較結果を示す
音楽再生装置。
【請求項１１】
請求項１０において、
前記所定の範囲は、設定速さを示し、
前記音声メッセージは、前記ユーザが歩行するときの速さと前記設定速さとの大小関係を示す
音楽再生装置。
【請求項１２】
請求項１０において、
前記所定の範囲は、設定歩数を示し、
前記音声メッセージは、前記ユーザが歩行するときの単位時間当たりの歩数と前記設定歩数との大小関係を示す
音楽再生装置。
【請求項１３】
請求項１０において、
前記所定の範囲は、目標歩数を示し、
前記音声メッセージは、前記ユーザが歩行するときの歩数の前記目標歩数に対する割合を示す
音楽再生装置。
【請求項１４】
請求項７または請求項８のいずれかにおいて、
条件を入力装置から収集する設定部を更に具備し、
前記ガイド部は、前記歩行状態が前記条件を満たすときに、前記音声メッセージを前記音響装置から出力する
音楽再生装置。
【請求項１５】
請求項１４において、
前記設定部は、前記入力装置から設定歩数を収集し、
前記ガイド部は、前記ユーザが歩行するときの歩数が前記設定歩数の倍数であるときに、前記歩数を示す音声メッセージを前記音響装置から出力する
音楽再生装置。
【発明の詳細な説明】
【技術分野】
【０００１】
本発明は、音楽再生装置に関し、特に、ユーザに携帯されて音楽を再生する音楽再生装置に関する。
【背景技術】
【０００２】
ユーザに携帯されて音楽を再生する音楽再生装置が知られている。図９は、公知の音楽再生装置を示している。その音楽再生装置１００は、音楽再生装置本体１０１とスイッチ１０２とディスプレイ１０３とヘッドホンジャック１０４とＵＳＢジャック１０５とを備えている。音楽再生装置本体１０１は、図示されていないＣＰＵを備える情報処理装置である。スイッチ１０２は、ユーザにより操作されて、楽曲の選曲、楽曲の再生のスタート／ストップ、音量の変更に用いられる。ディスプレイ１０３は、再生中の楽曲、再生時間を表示する。ヘッドホンジャック１０４は、ヘッドホン１０７の端子がさしこまれるコネクタであり、音楽再生装置本体１０１からヘッドホン１０７に電気信号が伝送されるように、音楽再生装置本体１０１とヘッドホン１０７とを接続する。ヘッドホン１０７は、音楽再生装置本体１０１により生成された楽曲を示す電気信号を音に変換する。ＵＳＢジャック１０５は、ＵＳＢケーブル１０６がさしこまれるコネクタであり、音楽再生装置本体１０１とパーソナルコンピュータ１１０とが双方向に情報を伝送することができるように、音楽再生装置本体１０１とパーソナルコンピュータ１１０とを接続する。パーソナルコンピュータ１１０は、インターネット１１１に接続され、インターネット１１１に公開されている楽曲を収集することもできる。
【０００３】
ユーザは、所望の楽曲が記録される記録媒体（ＣＤ、ＤＶＤ）を購入してパーソナルコンピュータ１１０に格納し、または、パーソナルコンピュータ１１０を用いてインターネット１１１から所望の楽曲を収集し、その楽曲をパーソナルコンピュータ１１０から音楽再生装置１００に伝送する。音楽再生装置１００は、その楽曲を記録し、ユーザによるスイッチ１０２の操作に基づいて、その楽曲をヘッドホン１０７から出力する。このような音楽再生装置は、機能が多様であることが望まれている。
【０００４】
ユーザに携帯されてそのユーザが歩行するときの歩数・歩行速さ・歩行距離を計測する歩数計が知られている。図１０は、公知の歩数計を示している。その歩数計２００は、歩数計本体２０１と設定スイッチ２０２とディスプレイ２０３とＵＳＢジャック２０５とを備えている。歩数計本体２０１は、図示されていないＣＰＵを備える情報処理装置であり、さらに、内部に歩数計２００を携帯するユーザの歩数を計測するセンサを備えている。設定スイッチ２０２は、ユーザにより操作されて、その歩数をリセットすること等に用いられる。ディスプレイ２０３は、その歩数を表示する。ＵＳＢジャック２０５は、ＵＳＢケーブル２０６がさしこまれるコネクタであり、歩数計本体２０１からパーソナルコンピュータ２１０に情報が伝送されるように、歩数計本体２０１とパーソナルコンピュータ２１０とを接続する。パーソナルコンピュータ２１０は、インターネット２１１に接続され、インターネット２１１に公開されている情報を収集することができる。
【０００５】
ユーザは、歩数計２００を携帯して歩行する。このとき、歩数計２００は、ユーザの歩数を計測して、その歩数をディスプレイ２０３に表示し、その歩数を記録する。歩数計２００は、さらに、パーソナルコンピュータ２１０に接続されると、その歩数をパーソナルコンピュータ２１０に伝送する。ユーザは、パーソナルコンピュータ２１０を用いてインターネット１１１からその歩数に基づいて生成される健康に関するアドバイスを収集することができる。
【０００６】
特開２０００−１９６７２４号公報には、携帯用のヘッドホーンステレオの聴取中にも電話の受信、発信ができると共に、リモコン装置にマイクロホン、タイマー、万歩計（登録商標）、鏡、小型照明装置等を設けた携帯電話機付ヘッドホーンが開示されている。その携帯電話機付ヘッドホーンは、ボリウム、再生、ストップ、回路の各機構を内蔵したリモコン装置に、コードを介してヘッドホンを連設し、別のコードを介してヘッドホンステレを連設した携帯用ヘッドホンのヘッドホンステレオにコードを介して携帯電話機を連設したもので、リモコン装置に小型のマイクロホン、タイマー、万歩計（登録商標）、鏡、爪楊枝収納部、小型照明装置、音量調節機構を設けたことを特徴としている。
【０００７】
特開２００２−２１４６９１号公報には、携帯性に富み、可能な限り正確な使用者の歩数を検出できる万歩計（登録商標）付きカメラが開示されている。その万歩計（登録商標）付きカメラは、リモコン装置に、歩行動作に関連して振動検知信号を発生する振動検知部を内蔵し、振動検知部からの振動検知信号に基づいてＣＰＵにおいて累計歩数を計算する。累計歩数のデータは操作キーに組み込まれた転送キーを押すことによりリモコン送信部からカメラ本体に送信され、カメラ本体で画像処理された後、ＬＣＤ表示装置に表示される。リモコン装置の背面には固定用のクリップ部が取り付けられ、クリップ部の切り欠き部にはスイッチがリモコン装置本体から突出している。スイッチがＯＦＦの時には前記振動検知部の感度が下がるようになっており、余分な振動を検出しないような仕組みになっている。
【０００８】
特開２０００−１０５５９８号公報には、ＭＰ３音楽ファイル及び電話番号情報またはメモ情報のような多様な付加情報を外部のデータ提供装置からダウンロードして格納及び再生できる携帯用データ記録／再生装置が開示されている。その携帯用データ記録／再生装置は、外部から提供される音声に関するアナログオーディオ信号をデジタルオーディオ信号に変換するためのアナログデジタル変換手段と、ＭＰ３音楽ファイルをＭＰ３方式でデコードすることと、前記デジタルオーディオ信号を所定の方式でエンコーディングして音声データファイルに出力して、前記音声データファイルが入力される時には前記所定の方式でデコードするためのコデック手段と、外部のデータ提供装置と前記携帯用データ格納及び再生装置との間においてデータファイルを送受信するためのインタフェース手段と、前記データ提供装置から提供された前記データファイル及び前記コデック手段によりエンコードされた前記音声データファイルを指定されたアドレスに保存するための不揮発性メモリー手段と、ひとつ以上の機能選択スイッチを含んで、使用者が前記機能選択スイッチの操作により前記不揮発性メモリー手段に保存されているファイルのうち所望のものを選択して所定モードでオーディオ信号を再生したり付加情報の処理を指示するためのキー入力手段と、前記コデック手段によりデコードされたデジタルオーディオ信号をオーディオ再生用のアナログオーディオ信号に変換するデジタルアナログ変換手段と、前記キー入力手段の命令に応答して、前記データ提供装置と前記携帯用データ格納及び再生装置との間におけるデータ通信、前記メモリー手段に対するファイル格納及び読み出し、読み出されたファイルの再生を制御する制御手段とを具備することを特徴としている。
【０００９】
【特許文献１】特開２０００−１９６７２４号公報
【特許文献２】特開２００２−２１４６９１号公報
【特許文献３】特開２０００−１０５５９８号公報
【発明の開示】
【発明が解決しようとする課題】
【００１０】
本発明の課題は、より多機能である音楽再生装置を提供することにある。
【課題を解決するための手段】
【００１１】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１２】
本発明による音楽再生装置（１）は、当該音楽再生装置（１）を携帯するユーザが歩行するときの歩行状態をセンサ（１７）から収集する歩行状態収集部（３６）と、記録装置（１９）に記録される楽曲を音響装置（２８）から出力する楽曲再生部（３８）と、歩行状態に基づいて楽曲の演奏形態を変更するガイド部（３７）とを備えていることが好ましい。
【００１３】
ガイド部（３７）は、歩行状態に基づいて楽曲のテンポを変更することが好ましい。
【００１４】
ガイド部（３７）は、歩行状態に基づいて楽曲の音量を変更することが好ましい。
【００１５】
本発明による音楽再生装置（１）は、条件を入力装置（１４）から収集する設定部（３５）をさらに備えている。このとき、ガイド部（３７）は、歩行状態が条件を満たすときに、楽曲の演奏形態を変更することが好ましい。
【００１６】
設定部（３５）は、入力装置（１４）から所定の範囲を収集する。このとき、ガイド部（３７）は、ユーザが歩行するときの速さが所定の範囲に含まれないときに、演奏形態を変更することが好ましい。
【００１７】
設定部（３５）は、入力装置（１４）から所定の範囲を収集する。このとき、ガイド部（３７）は、ユーザが歩行するときの単位時間当たりの歩数が所定の範囲に含まれないときに、演奏形態を変更することが好ましい。
【００１８】
本発明による音楽再生装置（１）は、記録装置（１９）に記録される楽曲を音響装置（２８）から出力する楽曲再生部（３８）と、当該音楽再生装置（１）を携帯するユーザが歩行するときの歩行状態をセンサ（１７）から収集する歩行状態収集部（３６）と、歩行状態に関する音声メッセージを音響装置（２８）から出力するガイド部（３７）とを備えていることが好ましい。
【００１９】
ガイド部（３７）は、楽曲をフェードアウトした後に音声メッセージを音響装置（２８）から出力し、音声メッセージを音響装置（２８）から出力した後に楽曲をフェードインすることが好ましい。
【００２０】
ガイド部（３７）は、１つの楽曲が終了してから次の楽曲が開始するまでの間に、音声メッセージを音響装置（２８）から出力することが好ましい。
【００２１】
本発明による音楽再生装置（１）は、所定の範囲を入力装置（１４）から収集する設定部（３５）を更に備えている。このとき、音声メッセージは、所定の範囲と歩行状態との比較結果を示すことが好ましい。
【００２２】
所定の範囲は、設定速さを示している。このとき、音声メッセージは、ユーザが歩行するときの速さと設定速さとの大小関係を示すことが好ましい。
【００２３】
所定の範囲は、設定歩数を示している。このとき、音声メッセージは、ユーザが歩行するときの単位時間当たりの歩数と設定歩数との大小関係を示すことが好ましい。
【００２４】
所定の範囲は、目標歩数を示している。このとき、音声メッセージは、ユーザが歩行するときの歩数の目標歩数に対する割合を示すことが好ましい。
【００２５】
本発明による音楽再生装置（１）は、条件を入力装置（１４）から収集する設定部（３５）を更に備えている。このとき、ガイド部（３７）は、歩行状態が条件を満たすときに、音声メッセージを音響装置（２８）から出力することが好ましい。
【００２６】
設定部（３５）は、入力装置（１４）から設定歩数を収集する。このとき、ガイド部（３７）は、ユーザが歩行するときの歩数が設定歩数の倍数であるときに、その歩数を示す音声メッセージを音響装置（２８）から出力することが好ましい。
【発明の効果】
【００２７】
本発明による音楽再生装置は、より多機能である。
【発明を実施するための最良の形態】
【００２８】
図面を参照して、本発明による音楽再生装置の実施の形態を記載する。その音楽再生装置１は、図１に示されているように、複数の電子機器から形成されている。その複数の電子機器は、バス２を介して互いに情報を伝送することができるように接続されている。その複数の電子機器は、ＣＰＵ１１とＲＯＭ１２とＲＡＭ１３とスイッチ１４とディスプレイ１５とＵＳＢインターフェース１６と歩行状態センサ１７と音声合成回路１８とフラッシュメモリ１９とデコーダ２０と乗算器２１と乗算器２２と加算器２３とＤ／Ａ変換器２４とアンプ２５とから形成されている。
【００２９】
ＣＰＵ１１は、ＲＯＭ１２に記録されているコンピュータプログラムを実行して、ＲＡＭ１３とスイッチ１４とディスプレイ１５とＵＳＢインターフェース１６と歩行状態センサ１７と音声合成回路１８とフラッシュメモリ１９とデコーダ２０と乗算器２１と乗算器２２と加算器２３とＤ／Ａ変換器２４とアンプ２５とを制御する。
【００３０】
ＲＯＭ１２は、音楽再生装置１の電源が切れても内容が失われない読み出し専用の半導体記憶装置であり、ＣＰＵ１１により実行されるコンピュータプログラムを記録している。ＲＡＭ１３は、音楽再生装置１の電源を切ったときに内容が破棄される揮発性の半導体メモリであり、ＣＰＵ１１により生成される情報を一時的に記録する。
【００３１】
スイッチ１４は、複数のボタンを備え、そのボタンがユーザにより操作されることにより生成される情報をＣＰＵ１１に出力する。ディスプレイ１５は、液晶ディスプレイに例示される表示面を備え、ＣＰＵ１１により生成された画面または文字列をその表示面に表示する。ＵＳＢインターフェース１６は、ＵＳＢケーブルの一端と接続されるＵＳＢジャック２６を備え、そのＵＳＢケーブルの他端に接続されるパーソナルコンピュータとＣＰＵ１１との間のデータの伝送を仲介する。
【００３２】
歩行状態センサ１７は、音楽再生装置１の運動により運動する振り子または音楽再生装置１の加速度を計測するジャイロであり、音楽再生装置１を携帯するユーザが歩行するときの歩数を計測する。
【００３３】
音声合成回路１８は、ＣＰＵ１１により生成されたメッセージを音声メッセージに音声合成し、その音声メッセージをデジタルオーディオデータに変換する。フラッシュメモリ１９は、音楽再生装置１の電源を切っても内容が保存される不揮発性の半導体メモリであり、楽曲を示す音楽データファイルを記録する。その音楽データファイルの形式としては、ＭＰ３形式、ＷＭＡ形式、ＳＭＦが例示される。デコーダ２０は、フラッシュメモリ１９に記録されている音楽データファイルが示す楽曲をデジタルオーディオデータにデコードし、そのデジタルオーディオデータを乗算器２１に出力する。
【００３４】
乗算器２１は、デコーダ２０から出力されるデジタルオーディオデータにＣＰＵ１１により生成された乗算係数を乗算して、そのデジタルオーディオデータが示す音声の音量を変更する。乗算器２２は、音声合成回路１８から出力されるデジタルオーディオデータにＣＰＵ１１により生成された乗算係数を乗算して、そのデジタルオーディオデータが示す音声の音量を変更する。加算器２３は、乗算器２１から出力されるデジタルオーディオデータと乗算器２２から出力されるデジタルオーディオデータとを加算して、楽曲と音声メッセージとが混合された音声を示すデジタルオーディオデータを生成する。
【００３５】
Ｄ／Ａ変換器２４は、加算器２３から出力されるデジタルオーディオデータをアナログオーディオデータに変換する。アンプ２５は、ＣＰＵ１１により制御されて、Ｄ／Ａ変換器２４から出力されるアナログオーディオデータを増幅する。音楽再生装置１は、さらに、ヘッドフォンジャック２７を備えている。ヘッドフォンジャック２７に接続されるヘッドフォン２８は、アンプ２５から出力されるアナログオーディオデータを音声に変換する。すなわち、アンプ２５は、ヘッドフォン２８から出力される音声の音量を制御する。
【００３６】
図２は、ＲＯＭ１２に記録されているコンピュータプログラムを示している。そのコンピュータプログラム３０は、楽曲データベース３１とガイドデータベース３２と楽曲録音部３３と歩行状態出力部３４と設定部３５と歩行状態収集部３６とガイド部３７と楽曲再生部３８とから形成されている。
【００３７】
楽曲データベース３１は、楽曲をフラッシュメモリ１９に記録し、その楽曲を他のコンピュータプログラムの要求により出力する。ガイドデータベース３２は、音楽再生装置１を携帯するユーザが歩行する歩行状態に基づいて実行されるガイドをフラッシュメモリ１９に記録し、そのガイドを他のコンピュータプログラムの要求により出力する。
【００３８】
楽曲録音部３３は、音楽再生装置１により再生される楽曲をパーソナルコンピュータからＵＳＢインターフェース部１６を介して収集してフラッシュメモリ１９に記録する。設定部３５は、ユーザにより生成された情報をスイッチ１４から収集し、または、その情報をパーソナルコンピュータから収集する。歩行状態収集部３６は、歩行状態センサ１７により計測された計測結果を収集し、音楽再生装置１を携帯するユーザが歩行するときの歩数と歩行速さと歩行テンポとをその計測結果に基づいて算出する。
【００３９】
歩行状態出力部３４は、歩行状態収集部３６により算出された歩数と歩行速さと歩行テンポとをディスプレイ１５に表示する。歩行状態出力部３４は、さらに、ＵＳＢインターフェース部１６を介してその歩数と歩行速さと歩行テンポとをパーソナルコンピュータに出力する。
【００４０】
楽曲再生部３８は、楽曲録音部３３によりフラッシュメモリ１９に記録される楽曲をデコードして、その楽曲をヘッドフォン２８から出力する。ガイド部３７は、ガイドデータベース３２によりフラッシュメモリ１９に記録されるガイドを参照して、歩行状態収集部３６により収集された歩行状態に対応するガイドを実行する。
【００４１】
図３は、楽曲データベース３１によりフラッシュメモリ１９に記録される表を示している。その表４０は、ファイル名４１に楽曲４２とメモ４３とを対応付けている。ファイル名４１は、音楽再生装置１により再生される楽曲を示す音楽データファイルのファイル名を示し、その楽曲を識別している。楽曲４２は、ファイル名４１により識別される楽曲そのものを示し、その楽曲が所定の形式で表現されている情報である。その形式としては、ＭＰ３形式、ＷＭＡ形式、ＳＭＦが例示される。メモ４３は、ファイル名４１により識別される楽曲に関する情報であり、その楽曲の曲名、作曲者、作詞者、アーティストに例示される情報である。
【００４２】
このとき、楽曲録音部３３は、パーソナルコンピュータから収集される楽曲とその楽曲に関する情報とに基づいて表４０を更新する。楽曲再生部３８は、スイッチ部１４の操作に基づいて表４０のファイル名４１のうちのユーザにより指定されたファイルを選択し、その選択されたファイルが示す楽曲をヘッドフォン２８から出力する。
【００４３】
図４は、ガイドデータベース３２によりフラッシュメモリ１９に記録される表を示している。その表５０は、ガイド５１にモード５２と条件５３とを対応付けている。ガイド５１は、ガイド部３７により実行されるガイドの内容を示し、そのガイドを識別している。モード５２は、ガイド５１により識別されるガイドを実行するかしないかを示している。条件５３は、ガイド５１により識別されるガイドを実行するタイミングを示す条件を示し、または、そのガイドの内容を決定するときに用いられる条件を示している。
【００４４】
たとえば、条件５３は、再生される楽曲のテンポ・音量を変更する動作をガイド５１が示しているときに、その動作を実行するときの歩行状態の範囲を示している。条件５３は、設定速さと歩行速さとの比較結果を示すメッセージを出力する動作をガイド５１が示しているときに、その設定速さを示している。条件５３は、歩数を示すメッセージを出力する動作をガイド５１が示しているときに、その動作を実行するときの設定歩数を示している。条件５３は、目標歩数と歩数との比較結果を示すメッセージを出力する動作をガイド５１が示しているときに、その目標歩数を示している。
【００４５】
このとき、設定部３５は、ガイド５１により識別されるガイドをそれぞれ実行するかどうかを示す情報をスイッチ部１４から収集し、その情報に基づいて表５０のモード５２を更新する。ガイド部３７は、表５０を参照して、条件５３のうちから歩行状態収集部３６により収集された歩行状態が満足する条件を抽出する。ガイド部３７は、表５０を参照して、ガイド５１のうちからその抽出された条件に対応するガイドを抽出して、その算出されたガイドを実行する。
【００４６】
音楽再生装置の動作は、設定情報を収集する動作と、歩行速さに基づいて楽曲のテンポを変更する動作と、歩行状態に関するメッセージを出力する動作とを備えている。歩行状態に関するメッセージを出力する動作は、歩行速さと設定値との比較結果を示すメッセージを出力する動作と、歩数を示すメッセージを出力する動作と、歩数と目標歩数との比較結果を示すメッセージを出力する動作とを含んでいる。
【００４７】
設定情報を収集する動作では、ユーザは、スイッチ部１４を用いて各ガイドを実行するかしないかを入力し、そのガイドを実行するときに、スイッチ部１４を用いてそのガイドに必要な条件を入力する。たとえば、ユーザは、歩行速さに応じて楽曲のテンポを変更させたいときに、スイッチ部１４を用いて実行することを入力し、テンポを変更するときの歩行速さ・歩行テンポの範囲を入力する。ユーザは、歩行速さ・歩行テンポと設定値との比較結果を示すメッセージを出力させたいときに、スイッチ部１４を用いて実行することを入力し、その設定値を入力する。ユーザは、歩数を示すメッセージを出力させたいときに、スイッチ部１４を用いて実行することを入力し、そのメッセージを出力するときの設定歩数を入力する。ユーザは、歩数と目標歩数との比較結果を示すメッセージを出力させたいときに、スイッチ部１４を用いて実行することを入力し、その目標歩数を入力する。
【００４８】
図５は、歩行速さに基づいて楽曲のテンポを変更する動作を示している。この動作は、定期的に（たとえば、３０秒毎に）実行される。音楽再生装置１は、まず、楽曲をヘッドホン２８から出力しながら、歩行状態センサ１７の計測結果に基づいて歩行速さを検出する（ステップＳ１）。音楽再生装置１は、予め入力された速さの範囲にその歩行速さが含まれているときに（ステップＳ２、範囲内）、その楽曲に指定されているテンポをそのままに再生する（ステップＳ３）。音楽再生装置１は、その歩行速さがその範囲より速いときに（ステップＳ２、速い）、その楽曲に指定されているテンポより速いテンポで、その楽曲を再生する（ステップＳ４）。音楽再生装置１は、その歩行速さがその範囲より遅いときに（ステップＳ２、遅い）、その楽曲に指定されているテンポより遅いテンポで、その楽曲を再生する（ステップＳ５）。
【００４９】
なお、音楽再生装置１は、逆に、歩行速さが速いときに遅いテンポで楽曲を再生し、歩行速さが遅いときに速いテンポで楽曲を再生することもできる。
【００５０】
音楽再生装置１は、さらに、楽曲を再生するテンポに置換して楽曲を再生する音量を用いることができる。すなわち、音楽再生装置１は、歩行速さが速いときに大きい音量で楽曲を再生し、歩行速さが遅いときに小さい音量で楽曲を再生することもできる。音楽再生装置１は、逆に、歩行速さが速いときに小さい音量で楽曲を再生し、歩行速さが遅いときに大きい音量で楽曲を再生することもできる。
【００５１】
音楽再生装置１は、さらに、歩行速さに置換して歩行テンポ（ユーザが歩行するときの単位時間当たりの歩数）を用いることができる。すなわち、音楽再生装置１は、歩行テンポが速いときに速いテンポで楽曲を再生し、歩行テンポが遅いときに遅いテンポで楽曲を再生することもできる。または、音楽再生装置１は、逆に、歩行テンポが速いときに遅いテンポで楽曲を再生し、歩行テンポが遅いときに速いテンポで楽曲を再生することもできる。
【００５２】
音楽再生装置１は、さらに、歩行テンポが速いときに大きい音量で楽曲を再生し、歩行テンポが遅いときに小さい音量で楽曲を再生することもできる。音楽再生装置１は、逆に、歩行テンポが速いときに小さい音量で楽曲を再生し、歩行テンポが遅いときに大きい音量で楽曲を再生することもできる。
【００５３】
このような歩行速さ・歩行テンポに例示される歩行状態とテンポ・音量に例示される演奏形態との対応付けは、設定情報を収集する動作のときに実行されることもできる。
【００５４】
このような動作によれば、ユーザは、たとえば、散歩しているときに、楽曲を聴きながら、歩行速さを知ることができる。このような音楽再生装置１は、より多機能であり、このような音楽再生装置１によれば、ユーザは、音楽再生装置と歩数計との２つの装置を携帯する必要がなく、好ましい。
【００５５】
図６は、歩行速さと設定値との比較結果を示すメッセージを出力する動作を示している。この動作は、定期的に（たとえば、３分毎に）実行され、または、再生される楽曲と楽曲との間に実行される。音楽再生装置１は、まず、楽曲をヘッドホン２８から出力しながら、歩行状態センサ１７の計測結果に基づいて歩行速さを検出する（ステップＳ１１）。音楽再生装置１は、予め入力された速さの範囲にその歩行速さが含まれているときに（ステップＳ１２、範囲内）、「いいペースを保っています。」というメッセージを生成する（ステップＳ１３）。音楽再生装置１は、その歩行速さがその範囲より速いときに（ステップＳ１２、速い）、「あまり無理しないで。」というメッセージを生成する（ステップＳ１４）。音楽再生装置１は、その歩行速さがその範囲より遅いときに（ステップＳ１２、遅い）、「もう少しがんばりましょう。」というメッセージを生成する（ステップＳ１５）。
【００５６】
音楽再生装置１は、楽曲を再生していないときに（ステップＳ１６、ＮＯ）、ステップＳ１３〜Ｓ１５で生成されたメッセージをヘッドホン２８から出力する（ステップＳ１７）。音楽再生装置１は、楽曲を再生しているときに（ステップＳ１６、ＹＥＳ）、再生中の楽曲をフェードアウトし、ステップＳ１３〜Ｓ１５で生成されたメッセージをヘッドホン２８から出力し、楽曲をフェードインする（ステップＳ１８）。
【００５７】
なお、メッセージは、再生中の楽曲をフェードアウト・フェードインしないでヘッドホン２８から出力することもできる。すなわち、音楽再生装置１は、再生中の楽曲にそのメッセージを混合してヘッドホン２８から出力し、または、再生中の楽曲を停止してヘッドホン２８から出力することもできる。
【００５８】
このような動作によれば、ユーザは、たとえば、散歩しているときに、楽曲を聴きながら、歩行速さを知ることができる。このような音楽再生装置１によれば、ユーザは、音楽再生装置と歩数計との２つの装置を携帯する必要がなく、好ましい。
【００５９】
図７は、歩数を示すメッセージを出力する動作を示している。この動作は、音楽再生装置１を携帯するユーザの歩数が検出される毎に実行される。音楽再生装置１は、まず、楽曲をヘッドホン２８から出力しながら、歩行状態センサ１７の計測結果に基づいて歩数を検出する（ステップＳ２１）。音楽再生装置１は、その歩数が予め入力された設定歩数の倍数であるときに（ステップＳ２２、ＹＥＳ）、その歩数ｎを用いて「現在の歩数は、ｎ歩です。」というメッセージを生成する（ステップＳ２３）。
【００６０】
音楽再生装置１は、楽曲を再生していないときに（ステップＳ２４、ＮＯ）、そのメッセージをヘッドホン２８から出力する（ステップＳ２５）。音楽再生装置１は、楽曲を再生しているときに（ステップＳ２６、ＹＥＳ）、再生中の楽曲をフェードアウトし、そのメッセージをヘッドホン２８から出力し、楽曲をフェードインする（ステップＳ２６）。
【００６１】
なお、メッセージは、再生中の楽曲をフェードアウト・フェードインしないでヘッドホン２８から出力することもできる。すなわち、音楽再生装置１は、再生中の楽曲にそのメッセージを混合してヘッドホン２８から出力し、または、再生中の楽曲を停止してヘッドホン２８から出力することもできる。
【００６２】
このような動作によれば、ユーザは、たとえば、散歩しているときに、楽曲を聴きながら、歩数を知ることができる。このような音楽再生装置１によれば、ユーザは、音楽再生装置と歩数計との２つの装置を携帯する必要がなく、好ましい。
【００６３】
図８は、歩数と目標歩数との比較結果を示すメッセージを出力する動作を示している。この動作は、定期的に（たとえば、３分毎に）実行され、または、再生される楽曲と楽曲との間に実行される。音楽再生装置１は、まず、楽曲をヘッドホン２８から出力しながら、歩行状態センサ１７の計測結果に基づいて歩数を検出する（ステップＳ３１）。
音楽再生装置１は、その歩数が予め入力された目標歩数にまだまだ到達しそうにない（その歩数が目標歩数の９５％未満）ときに（ステップＳ３２、まだ）、その目標歩数に対するその歩数の割合ｘ％を算出して、「まだ、ｘ％です。」というメッセージを生成する（ステップＳ３３）。音楽再生装置１は、その歩数が予め入力された目標歩数にあと少しで一致する（その歩数が目標歩数の９５％〜１００％）ときに（ステップＳ３２、あと少しで一致）、「あと少しで目標です。」というメッセージを生成する（ステップＳ３４）。
【００６４】
音楽再生装置１は、楽曲を再生していないときに（ステップＳ３５、ＮＯ）、そのメッセージをヘッドホン２８から出力する（ステップＳ３６）。音楽再生装置１は、楽曲を再生しているときに（ステップＳ３５、ＹＥＳ）、再生中の楽曲をフェードアウトし、そのメッセージをヘッドホン２８から出力し、楽曲をフェードインする（ステップＳ３７）。
【００６５】
なお、メッセージは、再生中の楽曲をフェードアウト・フェードインしないでヘッドホン２８から出力することもできる。すなわち、音楽再生装置１は、再生中の楽曲にそのメッセージを混合してヘッドホン２８から出力し、または、再生中の楽曲を停止してヘッドホン２８から出力することもできる。
【００６６】
このような動作によれば、ユーザは、たとえば、散歩しているときに、楽曲を聴きながら、歩数を知ることができる。このような音楽再生装置１によれば、ユーザは、音楽再生装置と歩数計との２つの装置を携帯する必要がなく、好ましい。
【図面の簡単な説明】
【００６７】
【図１】図１は、本発明による音楽再生装置の実施の形態を示すブロック図である。
【図２】図２は、音楽再生装置にインストールされるコンピュータプログラムを示すブロック図である。
【図３】図３は、楽曲データベースにより記録される表を示すブロック図である。
【図４】図４は、ガイドデータベースにより記録される表を示すブロック図である。
【図５】図５は、歩行速さに基づいて楽曲のテンポを変更する動作を示すフローチャートである。
【図６】図６は、歩行速さと設定値との比較結果を示すメッセージを出力する動作を示すフローチャートである。
【図７】図７は、歩数を示すメッセージを出力する動作を示すフローチャートである。
【図８】図８は、歩数と目標歩数との比較結果を示すメッセージを出力する動作を示すフローチャートである。
【図９】図９は、公知の音楽再生装置を示す斜視図である。
【図１０】図１０は、公知の歩数計を示す斜視図である。
【符号の説明】
【００６８】
１  ：音楽再生装置
２  ：バス
１１：ＣＰＵ
１２：ＲＯＭ
１３：ＲＡＭ
１４：スイッチ
１５：ディスプレイ
１６：ＵＳＢインターフェース
１７：歩行状態センサ
１８：音声合成回路
１９：フラッシュメモリ
２０：デコーダ
２１：乗算器
２２：乗算器
２３：加算器
２４：Ｄ／Ａ変換器
２５：アンプ
２６：ＵＳＢジャック
２７：ヘッドフォンジャック
２８：ヘッドフォン
３０：コンピュータプログラム
３１：楽曲データベース
３２：ガイドデータベース
３３：楽曲録音部
３４：歩行状態出力部
３５：設定部
３６：歩行状態収集部
３７：ガイド部
３８：楽曲再生部
４０：表
４１：ファイル名
４２：楽曲
４３：メモ
５０：表
５１：ガイド
５２：モード
５３：条件
【図１】
2006098478.tif 000003
【図２】
2006098478.tif 000004
【図３】
2006098478.tif 000005
【図４】
2006098478.tif 000006
【図５】
2006098478.tif 000007
【図６】
2006098478.tif 000008
【図７】
2006098478.tif 000009
【図８】
2006098478.tif 000010
【図９】
2006098478.tif 000011
【図１０】
2006098478.tif 000012